(57)【要約】      （修正有）【課題】台紙レイアウトファイルを、容易に、確実に、作成する割付ファイル作成装置、および方法を提供する。【解決手段】割付枠ファイルから所望の割付枠ファイルを選択して、スタイル名称情報と、スタイル設定情報と、を関連付けて、小組ファイルを作成する小組ファイル作成手段と、小組ファイルを特定する情報と、スタイル名称情報と、スタイル設定情報と、関連付けた設定ファイルを作成して、これを参照して、重複するスタイル名称情報を選択して、スタイル名称情報に関連付けられたスタイル設定情報を取得して、内容が同一でないかを検査するスタイル名称重複検査手段と、小組ファイルを特定する情報を含むスタイル名称重複ログを作成記録するスタイル名称重複ログ記録手段と、小組ファイルを選択して、これを修正する小組ファイル修正手段と、を備えたことを特徴とするＤＴＰ編集装置である。【選択図】図１
2007179344.tif 000002
【特許請求の範囲】
【請求項１】
印刷情報を割付ける割付枠の位置情報と寸法情報とを含む割付枠ファイルと、
割付枠に割り付ける印刷データの割り付けスタイルを設定したスタイル設定情報とスタイル名称情報と小組ファイル名称情報とを関連付ける小組ファイルと、
スタイル名称情報とスタイル設定情報と小組ファイルを特定する情報とを関連付ける設定ファイルと、
小組ファイルを特定する情報を含むスタイル名称重複ログと、
を記憶する記憶手段と、
割付枠ファイルから所望の割付枠ファイルを選択する割付枠ファイル選択手段と、
選択された割付枠ファイルの割付枠と、スタイル名称情報と、スタイル設定情報と、印刷原稿名情報と、を関連付けて、小組ファイルを作成して、所定の記憶領域に保存する小組ファイル作成手段と、
所定の記憶領域に保存された小組ファイルを特定する情報を作成して、スタイル名称情報と、スタイル設定情報と、関連付けて、設定ファイルを作成する設定ファイル作成手段と、
前記設定ファイルを参照して、重複するスタイル名称情報を選択して、それぞれのスタイル名称情報に関連付けられたスタイル設定情報を取得して、取得したスタイル設定情報が同一でないかを検査するスタイル名称重複検査手段と、
小組ファイルを特定する情報を含むスタイル名称重複ログを作成して記録するスタイル名称重複ログ記録手段と、
所定の記憶領域の小組ファイルを選択して、これを修正する小組ファイル修正手段と、
所定の記憶領域の小組ファイルと設定ファイルとを取得して、台紙レイアウトファイルを作成する台紙レイアウトファイル作成手段と、
を備えたことを特徴とするＤＴＰ編集装置。
【請求項２】
作成された小組ファイル名称情報を表示する管理パレット表示手段、
を備えたことを特徴とする請求項１に記載のＤＴＰ編集装置。
【請求項３】
印刷情報を割付ける割付枠の位置情報と寸法情報とを含む割付枠ファイルと、
割付枠に割り付ける印刷データの割り付けスタイルを設定したスタイル設定情報とスタイル名称情報と小組ファイル名称情報とを関連付ける小組ファイルと、
スタイル名称情報とスタイル設定情報と小組ファイルを特定する情報とを関連付ける設定ファイルと、
小組ファイルを特定する情報を含むスタイル名称重複ログと、
を用いて、台紙レイアウトファイルを作成するＤＴＰ編集方法であって、
割付枠ファイルから所望の割付枠ファイルを選択する割付枠ファイル選択ステップと、
選択された割付枠ファイルの割付枠と、スタイル名称情報と、スタイル設定情報と、印刷原稿名情報と、を関連付けて、小組ファイルを作成して、所定の記憶領域に保存する小組ファイル作成ステップと、
所定の記憶領域に保存された小組ファイルを特定する情報を作成して、スタイル名称情報と、スタイル設定情報と、関連付けて、設定ファイルを作成する設定ファイル作成ステップと、
前記設定ファイルを参照して、重複するスタイル名称情報を選択して、それぞれのスタイル名称情報に関連付けられたスタイル設定情報を取得して、取得したスタイル設定情報が同一でないかを検査するスタイル名称情報重複検査ステップと、
小組ファイルを特定する情報を含むスタイル名称重複ログを作成して記録するスタイル名称重複ログ記録ステップと、
所定の記憶領域の小組ファイルを選択して、これを修正する小組ファイル修正ステップと、
所定の記憶領域の小組ファイルと設定ファイルとを取得して、台紙レイアウトファイルを作成する台紙レイアウトファイル作成ステップと、
を含んだ手順でなされることを特徴とするＤＴＰ編集方法。
【請求項４】
コンピュータに組込むことによって、コンピュータを請求項１、または、請求項２に記載のＤＴＰ編集装置として動作させるコンピュータプログラム。
【請求項５】
請求項４に記載のコンピュータプログラムを記録したコンピュータ読取り可能な記録媒体。
【発明の詳細な説明】
【技術分野】
【０００１】
本発明は、ＤＴＰの割付編集において、台紙レイアウトファイルを作成する割付ファイル作成方法、割付ファイル作成装置に関するものである。
【０００２】
従来から、紙面を割付編集する場合には、複数の小組ファイルを組み合わせて、台紙レイアウトファイルを作成している。
【０００３】
ここで、小組ファイルとは、印刷情報を割り付ける体裁（以下：スタイル）を定めた情報である。
小組ファイルは、印刷情報（たとえば、文字や写真や図形）を割付ける割付枠の位置や寸法と、その割付枠に割付ける印刷情報のスタイル情報（スタイル名やスタイル設定情報）から構成されている。
【背景技術】
【０００４】
たとえば、特許文献１では、小組ファイルを組み合わせて割付レイアウトファイルを作成して文書を組版する技術が開示されている。（従来技術１）
【特許文献１】特開平９−２２３１３３号公報（６−７ページ、図７−７）
【発明の開示】
【発明が解決しようとする課題】
【０００５】
ところで、従来技術１では、台紙レイアウトファイルを作成するに当たって、小組ファイルの組み合わせ方が正しいことを、ＤＴＰ編集者が目視にて確認しなければならず、多大な労力と注意力を要するという問題点があった。たとえば、小組ファイルの割付枠にスタイル情報を設定するときに、別の小組ファイルの割付枠に付けたスタイル名を用いることは、避けられない。このように、重複したスタイル名をもつ２つの小組ファイルを用いて、台紙レイアウトファイルが作成されてしまうと、同じスタイル名で、異なるスタイル設定情報のものが混在して、不正な台紙レイアウトファイルが作成されてしまう。そこで、ＤＴＰ編集者は、スタイル名が重複しないように確認作業を行っている。また、重複防止の確認作業に漏れが生じると、同じスタイル名のスタイル設定情報は全て同じに設定されてしまうので、一方の割付枠の組版は、誤った割付結果となり、編集のやり直しを行うために、作業時間と、製版印刷材料が無駄になるという欠点がある。
【０００６】
本発明はこのような従来技術を考慮してなされたものであって、本発明の課題は、台紙レイアウトファイルを、容易に、確実に、作成する割付ファイル作成装置、割付ファイル作成方法を提供することである。
【課題を解決するための手段】
【０００７】
本発明は、以下のような解決手段により、前記課題を解決する。すなわち、請求項１の発明は、印刷情報を割付ける割付枠の位置情報と寸法情報とを含む割付枠ファイルと、割付枠に割り付ける印刷データの割り付けスタイルを設定したスタイル設定情報とスタイル名称情報と小組ファイル名称情報とを関連付ける小組ファイルと、スタイル名称情報とスタイル設定情報と小組ファイルを特定する情報とを関連付ける設定ファイルと、
小組ファイルを特定する情報を含むスタイル名称重複ログと、を記憶する記憶手段と、割付枠ファイルから所望の割付枠ファイルを選択する割付枠ファイル選択手段と、選択された割付枠ファイルの割付枠と、スタイル名称情報と、スタイル設定情報と、印刷原稿名情報と、を関連付けて、小組ファイルを作成して、所定の記憶領域に保存する小組ファイル作成手段と、所定の記憶領域に保存された小組ファイルを特定する情報を作成して、スタイル名称情報と、スタイル設定情報と、関連付けて、設定ファイルを作成する設定ファイル作成手段と、前記設定ファイルを参照して、重複するスタイル名称情報を選択して、それぞれのスタイル名称情報に関連付けられたスタイル設定情報を取得して、取得したスタイル設定情報が同一でないかを検査するスタイル名称重複検査手段と、小組ファイルを特定する情報を含むスタイル名称重複ログを作成して記録するスタイル名称重複ログ記録手段と、所定の記憶領域の小組ファイルを選択して、これを修正する小組ファイル修正手段と、所定の記憶領域の小組ファイルと設定ファイルとを取得して、割付枠と、スタイル名称情報と、スタイル設定情報と、印刷原稿名情報と、を関連付けた台紙レイアウトファイルを作成する台紙レイアウトファイル作成手段と、を備えたことを特徴とするＤＴＰ編集装置である。
【０００８】
従って、ＤＴＰ編集者は、スタイル名称重複ログを参照することで、スタイル設定情報が異なるにも関わらず、同じスタイル名称情報のものを、確実に、修正することができて、スタイル名称情報とスタイル設定情報とを一対一に対応させることができる。そこで、ＤＴＰ編集装置が、小組ファイルを集約して、台紙レイアウトファイルを作成するときに、台紙レイアウトファイルの割付枠に関連付けられたスタイル名称情報には、唯一のスタイル設定情報を対応させることができる。
【０００９】
請求項２の発明は、作成された小組ファイル名称情報を表示する管理パレット表示手段、を備えたことを特徴とする請求項１に記載のＤＴＰ編集装置である。
【００１０】
請求項３の発明は、印刷情報を割付ける割付枠の位置情報と寸法情報とを含む割付枠ファイルと、割付枠に割り付ける印刷データの割り付けスタイルを設定したスタイル設定情報とスタイル名称情報と小組ファイル名称情報とを関連付ける小組ファイルと、スタイル名称情報とスタイル設定情報と小組ファイルを特定する情報とを関連付ける設定ファイルと、小組ファイルを特定する情報を含むスタイル名称重複ログと、を用いて、台紙レイアウトファイルを作成するＤＴＰ編集方法であって、割付枠ファイルから所望の割付枠ファイルを選択する割付枠ファイル選択ステップと、選択された割付枠ファイルの割付枠と、スタイル名称情報と、スタイル設定情報と、印刷原稿名情報と、を関連付けて、小組ファイルを作成して、所定の記憶領域に保存する小組ファイル作成ステップと、所定の記憶領域に保存された小組ファイルを特定する情報を作成して、スタイル名称情報と、スタイル設定情報と、関連付けて、設定ファイルを作成する設定ファイル作成ステップと、前記設定ファイルを参照して、重複するスタイル名称情報を選択して、それぞれのスタイル名称情報に関連付けられたスタイル設定情報を取得して、取得したスタイル設定情報が同一でないかを検査するスタイル名称情報重複検査ステップと、小組ファイルを特定する情報を含むスタイル名称重複ログを作成して記録するスタイル名称重複ログ記録ステップと、所定の記憶領域の小組ファイルを選択して、これを修正する小組ファイル修正ステップと、所定の記憶領域の小組ファイルと設定ファイルとを取得して、割付枠と、スタイル名称情報と、スタイル設定情報と、印刷原稿名情報と、を関連付けた台紙レイアウトファイルを作成する台紙レイアウトファイル作成ステップと、を含んだ手順でなされることを特徴とするＤＴＰ編集方法である。
【００１１】
請求項４の発明は、コンピュータに組込むことによって、コンピュータを請求項１、または、請求項２に記載のＤＴＰ編集装置として動作させるコンピュータプログラムである。
【００１２】
請求項５の発明は、請求項４に記載のコンピュータプログラムを記録したコンピュータ読取り可能な記録媒体である。
【発明の効果】
【００１３】
本願発明によれば、小組ファイルの組み合わせに当たって、修正すべきか否かが、事前に分かるので、台紙レイアウトファイルの確認作業の労力を大幅に軽減されて、生産性が向上する。また、後工程で、正しい台紙レイアウトファイルを用いて組版を行うことができるので、確実に、所望の組版結果が得られて、無駄な製版印刷材料が排出されないので、省資源や環境対策の観点から、望ましい結果を得る。
【発明を実施するための最良の形態】
【００１４】
（実施例）
以下、図面等を参照しながら、本発明の実施の形態について、更に詳しく説明する。図１は、小組ファイルから台紙レイアウトファイルを自動生成して編集組版するＤＴＰ編集装置の概要を説明する図である。ＤＴＰ編集装置１００は、割付枠ファイル１９１と、小組ファイル１９３と、設定ファイル１９５と、スタイル名称重複ログ１９７と、台紙レイアウトファイル１９９と、印刷データ３９１と、を備える。割付編集者５００は、ＤＴＰ編集装置１００を用いて、割付枠ファイル１９１を編集して、小組ファイルと、設定ファイル１９５と、を作成する。ＤＴＰ編集装置１００は、小組ファイルと、設定ファイル１９５と、を用いて、台紙レイアウトファイル１９９を作成する。ＤＴＰ編集装置１００は、台紙レイアウトファイル１９９と、印刷データ３９１と、から、組版したページ３９９を、保持する。
【００１５】
図２は、ＤＴＰ編集組版システム１の大まかな処理の流れを説明する図である。割付編集者５００は、割付枠ファイル１９１を選択して、割付枠の割付情報（スタイル名称とスタイル設定の情報と、割付枠に割付ける印刷原稿名情報など。）を入力する（図１（１））。
ＤＴＰ編集装置１００は、選択された割付ファイル１９１の割付枠に、入力されたスタイル情報と印刷原稿名情報と関連付けて小組ファイル１９３を作成して、所定の記憶領域に記録する（同（２））。
割付編集者５００が、入力作業を完了したら、ＤＴＰ編集装置１００は、所定の記憶領域に記録された小組ファイル１９３を特定する情報（たとえば、小組ファイルの所在情報で、小組ファイルを記録する所定の記憶領域のパス情報。）を作成して、設定ファイル１９５に記録する（同（３））。
【００１６】
ＤＴＰ編集装置１００は、所定の記憶領域に記録された各小組ファイル１９３のスタイル名称が、他の小組ファイル１９３のスタイル名称と重複していないかを検査する（同（４））。
ＤＴＰ編集装置１００は、検査の結果、重複するスタイル名称が存在する場合には、さらに、両者のスタイル設定情報を調査して、その内容が異なるときには、スタイル名称重複ログ１９７を作成して、記録する（同（５））。
【００１７】
割付編集者５００は、スタイル名称重複ログ１９７を参照して、重複するスタイル名称を持つ小組ファイル１９３を呼び出して、重複しないようにスタイル名称を変更する（同（６））。
【００１８】
ＤＴＰ編集装置１００は、設定ファイル１９５の小組ファイル１９３を特定する情報を用いて、小組ファイル１９３を取得して、これらから、台紙レイアウトファイル１９９を作成する（同（７））。ＤＴＰ編集装置１００は、台紙レイアウトファイル１９９と印刷データ３９１を用いて、組版したページ３９９を作成する（同（８））。
【００１９】
図３は、本発明によるＤＴＰ編集装置１００の詳細な構成図である。
ＤＴＰ編集装置１００は、割付枠ファイル選択手段１１５と、小組ファイル作成手段１１０と、設定ファイル作成手段１２０と、スタイル名称重複検査手段１３０と、スタイル名称重複ログ記録手段１４０と、小組ファイル修正手段１５０と、小組ファイル複製手段１５３と、小組ファイル削除手段１５７と、台紙レイアウトファイル作成手段１６０と、管理パレット表示手段１８０と、記憶手段１９０と、を備える。記憶手段１９０は、割付枠ファイル１９１と、小組ファイル１９３と、設定ファイル１９５と、台紙レイアウトファイル１９９と、スタイル名称重複ログ１９７と、を記憶する。
【００２０】
割付枠ファイル１９１は、印刷情報を割付ける割付枠の位置情報と寸法情報とを含むデータである。
小組ファイル１９３は、割付枠に割り付ける印刷データの割り付けスタイルを設定したスタイル設定情報とスタイル名称情報と小組ファイル名称情報とを関連付けたデータである。
設定ファイル１９５は、スタイル名称情報とスタイル設定情報と小組ファイルを特定する情報（たとえば、小組ファイルの所在情報：小組ファイルを記憶する所定の記憶領域のパス情報）とを関連付けるデータである。
台紙レイアウトファイル１９９は、スタイル名称情報とスタイル設定情報と小組ファイル所在情報とを関連付けるデータである。
スタイル名称重複ログ１９７は、小組ファイルを特定する情報（たとえば、小組ファイルの所在情報：小組ファイルを記憶する所定の記憶領域のパス情報。）を含むデータである。
【００２１】
割付枠ファイル選択手段１１５は、割付枠ファイル１９１から所望の割付枠ファイル１９１を選択する。小組ファイル作成手段１１０は、入力された小組ファイル名称情報とスタイル設定情報印刷原稿名情報とを取得して、前記選択された割付枠ファイル１９１と関連付けて、小組ファイル１９３を作成して、所定の記憶領域に保存する。
【００２２】
設定ファイル作成手段１２０は、所定の記憶領域に保存された小組ファイルを特定する情報を作成して、スタイル名称情報と、スタイル設定情報と、関連付けて、設定ファイルを作成する。スタイル名称重複検査手段１３０は、前記設定ファイルを参照して、重複するスタイル名称情報を選択して、それぞれのスタイル名称情報に関連付けられたスタイル設定情報を取得して、取得したスタイル設定情報が同一でないかを検査する。スタイル名称重複ログ記録手段１４０は、小組ファイルを特定する情報を含むスタイル名称重複ログを作成して記録する。
【００２３】
小組ファイル修正手段１５０は、所定の記憶領域の小組ファイル１９３を選択して、これを修正する。小組ファイル複製手段１５３は、これを取得して、選択された小組ファイル１９３を複製する。小組ファイル削除手段１５７は、これを取得して、選択された小組ファイル１９３を削除する。台紙レイアウトファイル作成手段１６０は、所定の記憶領域の小組ファイルと設定ファイルとを取得して、割付枠と、スタイル名称情報と、スタイル設定情報と、印刷原稿名情報と、を関連付けた台紙レイアウトファイルを作成する。
【００２４】
管理パレット表示手段１８０は、複製された小組ファイル名称情報を表示する。
【００２５】
割付枠ファイル選択手段１１５と、小組ファイル作成手段１１０と、設定ファイル作成手段１２０と、スタイル名称重複検査手段１３０と、スタイル名称重複ログ記録手段１４０と、小組ファイル修正手段１５０と、小組ファイル複製手段１５３と、小組ファイル削除手段１５７と、台紙レイアウトファイル作成手段１６０と、管理パレット表示手段１８０は、コンピュータプログラムである。割付枠ファイル１９１と、小組ファイル１９３と、設定ファイル１９５と、台紙レイアウトファイル１９９と、スタイル名称重複ログ１９７と、は、コンピュータプログラムが可読なデータである。記憶手段１９０は、メモリである。
【００２６】
図４は、割付枠ファイルのデータ形式の説明図である。割付枠ファイル１９１のデータ形式は、割付名称情報１９１ａ、割付枠情報１９１ｆなどの項目から構成される。ここで、割付名称情報１９１ａは、割付枠ファイルの名称データである。割付枠情報１９１ｆは、割付枠の位置情報と割付枠の寸法情報から構成されるデータである。
【００２７】
図５は、割付枠ファイル１９１の例である。たとえば、「割付名称情報割＝付枠ファイル001」１９１ａである。「割付枠の位置情報＝（２０，４０）、割付枠の寸法情報＝１８０ｐ×２０ｐ」や、「割付枠の位置情報＝（４０，４０） 、割付枠の寸法情報＝１００ｐ×１００ｐ」や、「割付枠の位置情報＝（１４０，４０） 、割付枠の寸法情報＝１１０ｐ×１００ｐ」 などが、例示されている。
【００２８】
図６は、小組ファイル１９３のデータ形式の説明図である。小組ファイル１９３のデータ形式は、割付名称情報１９３ａ、割付枠情報１９３ｆ、スタイル名称情報１９３ｂ、スタイル設定情報１９３ｃ、印刷原稿名称情報１９３ｄなどの項目から構成される。ここで、割付名称情報１９３ａは、割付枠ファイルの名称データである。割付枠情報１９３ｆは、割付枠の位置情報と割付枠の寸法情報から構成されるデータである。スタイル名称情報１９３ｂは、スタイル設定情報の名称である。スタイル設定情報１９３ｃは、割付枠に割付ける印刷情報のスタイルを定める情報である。印刷原稿名称情報１９３ｄは、割付枠に割付ける印刷原稿名情報である。
【００２９】
ここで、割付枠は、割付ける印刷情報に応じて、文字配置枠や画像配置枠（たとえば、写真枠）や図形オブジェクト枠（たとえば、ボックスや罫線）となる。以下に、それぞれの割付枠に対応したスタイル設定情報１９１ｃについて、説明する。
【００３０】
文字配置枠のスタイル設定情報１９１ｃの内容は、文字寸法、文字色、文字種、組み方などである（図６（１））。また、写真枠のスタイル設定情報の１９１ｃの内容は、写真枠の罫線の種別、写真枠の罫線の太さ、写真枠の罫線の色などである（同（２））。さらに、図形オブジェクト枠のスタイル設定１９１ｃの内容は、オブジェクト枠内の塗りの色、枠線の種別、枠線の太さ、枠線の色などである（同（３））。
【００３１】
なお、罫線は、図形オブジェクト枠を用いて割付ける。たとえば、囲み罫であれば、「オブジェクト枠内の塗りの色＝空白」、「枠線の種別」、「枠線の太さ」、「枠線の色」を指定する。また、罫線であれば、割付枠情報１９１ｆの割付枠の寸法情報で罫線の長さを指定して、「オブジェクト枠内の塗りの色＝空白」「枠線の種別」、「枠線の太さ」、「枠線の色」を指定する。
【００３２】
図７は、小組ファイル１９１の例である。たとえば、「割付名称情報＝小組ファイルＡ」 １９３ａ、「割付枠情報＝（２０，４０）、１８０ｐ×２０ｐ」 １９３ｆ、「スタイル名称情報＝大見出し文字」１９３ｂ  「スタイル設定情報＝１８ｐ、墨、太明朝、縦組」１９３ｃ、  「印刷原稿名称情報１９３ｄ＝商品名ａ１０１」 １９３ｄ、などが例示されている。
【００３３】
図８は、小組ファイルのレイアウト例である。図８には、小組ファイルＡのレイアウト例が例示されている。それぞれ、「文字配置枠スタイル名称＝大見出し文字」の割付枠には、商品名が割付けられて、「図形オブジェクト枠スタイル名称＝ 飾り罫」の割付枠には、飾り罫が割付けられて、写真配置枠スタイル名称＝ 画像」の割付枠には、囲み罫線付きの商品画像が割付けられて、「図形オブジェクト枠スタイル名称＝ 背景平網」の割付枠には、背景平網が割付けられて、「文字配置枠スタイル名称＝ 本文」の割付枠には、商品キャッチコピーが割付けられる。ちなみに、画面の左上が、座標の原点になる。
【００３４】
図９は、小組ファイルの割付の例である。図９には、小組ファイルＡの割付例が例示されている。印刷データ３９１は、「商品名a101＝みかん」、「画像a101＝a101.eps」、「説明文a101＝a101.txt」、などである。
【００３５】
図１０は、設定ファイル１９５のデータ形式と例の説明図である。（１）設定ファイル１９５のデータ形式は、設定ファイル識別情報１９５ａ、スタイル名称情報１９５ｂ、スタイル設定情報１９５ｃ、印刷データ名称情報１９５ｄ、小組ファイル名１９５ｆ、小組ファイルの所在情報１９５ｅなどから構成される。スタイル名称情報１９５ｂと、スタイル設定情報１９５ｃと、印刷データ名称情報１９５ｄと、は、図６の小組ファイルの１９３のスタイル名称情報１９３ｂと、スタイル設定情報１９３ｃと、印刷データ名称情報１９３ｄと同じである。小組ファイル名１９５ｆは、小組ファイル名であり、小組ファイルの所在情報１９５ｅは、小組ファイル１９３のファイルパス情報である。
【００３６】
図１０には、設定ファイルが例示されている。たとえば、「設定ファイル識別情報＝設定ファイルＳＱ００４」１９５ａ、「スタイル名称情報＝大見出し文字１」１９５ｂ、「スタイル設定情報＝１８ｐ、墨、太明朝、縦組、」１９５ｃ、「印刷データ名称情報＝商品名ａ１０１」１９５ｄ、「小組ファイル名＝商品果物」１９５ｆ「所在情報＝．／F002」、などが例示されている。
【００３７】
このとき、２つの文字配置枠が、「スタイル名称情報＝本文、スタイル設定情報＝１０ｐ、墨、明朝、 縦組２段」と、「スタイル名称情報＝本文、スタイル設定情報＝９ｐ、墨、明朝、 縦組１段」と、であって、スタイル名称情報１９５ｂが重複していて、文字のスタイル設定１９１ｃの内容が相違している。
【００３８】
また、２つの図形オブジェクト枠が、「スタイル名称情報＝飾り罫線、スタイル設定情報＝、1点リーダー罫 、 １．５ｐ、墨」と、「スタイル名称情報＝飾り罫線、スタイル設定情報＝、2点リーダー罫 、 １．５ｐ、墨」と、であって、スタイル名称情報１９５ｂが重複していて、罫線のスタイル設定１９１ｃの内容が相違している。
【００３９】
このように、スタイル設定情報が異なるのに、スタイル名称情報が同じであるとそれぞれの小組のスタイル設定情報を識別できないので、割付編集者５００は、一方のスタイル名称情報を変更する。
【００４０】
たとえば、文字配置枠のスタイル名称情報を、「本文ａ」「本文ｂ」と変更して、図形オブジェクト枠のスタイル名称情報を、「囲み罫ａ」「囲み罫ｂ」と変更する。このように変更した設定ファイル１９５を用いて作成した台紙レイアウトファイル１９９の例を後述する。
【００４１】
図１１は、小組ファイル１９３の所在情報の説明図である。（１）設定ファイル１９５と同じフォルダに、小組ファイル１９３が格納されている場合の所在情報の表記方法が、例示されている。この場合は、小組ファイルから見た設定ファイル所在情報の表記「  ．／  」と、設定ファイルから見た小組ファイル所在情報の表記「  ．／  」と、は、同じである。また、（２）設定ファイル１９５とは同じフォルダに、小組ファイル１９３が格納されているフォルダが格納されている場合の所在情報の表記方法が、例示されている。この場合は、小組ファイルから見た設定ファイル所在情報の表記「F001  ／  ．」と、設定ファイルから見た小組ファイル所在情報の表記「  ．／ F002  」と、は、異なる。
【００４２】
図１２は、台紙レイアウトファイル１９９のデータ形式と例の説明図である。台紙レイアウトファイルのデータ形式１９９は、台紙名称情報１９９ａ、割付枠１９９ｆ、スタイル名称情報１９９ｂ、 スタイル設定情報１９９ｃ、印刷データ名称情報１９９ｄなどから構成される。台紙名称情報１９９ａは、台紙レイアウトファイルをユニークに識別する名称データである。、割付枠１９９ｆと、スタイル名称情報１９９ｂと、 スタイル設定情報１９９ｃと、印刷データ名称情報１９９ｄと、は、それぞれ、図１０のスタイル名称情報１９５ｂと、スタイル設定情報１９５ｃと、印刷データ名称情報１９５ｄと、同じである。
【００４３】
図１３は、台紙レイアウトファイル１９９例である。図１３には、たとえば、「台紙名称情報＝ページ割付ＳＱ００４」１９９ａ、「割付枠の位置情報＝（２０，４０）」「割付枠の寸法情報＝１８０ｐ×２０ｐ」１９９ｆ、「スタイル名称情報＝大見出し文字１」１９９ｂ、「スタイル設定情報＝１８ｐ、墨、太明朝、縦組」１９９ｃ、「印刷データ名称情報＝商品名ａ１０１」１９９ｄ、などが例示されている。
【００４４】
ここで、「スタイル名称情報＝本文ａ、スタイル設定情報＝１０ｐ、墨、明朝、縦組２段、印刷データ名称情報＝説明文ａ１０１」と、「スタイル名称情報＝本文ｂ、スタイル設定情報＝９ｐ、墨、明朝、縦組１段、印刷データ名称情報＝説明文ｂ１１１」と、は、スタイル設定情報が異なるので、スタイル名称情報が異なるように、変更されているものが例示されている。
【００４５】
同様に、「スタイル名称情報＝飾り罫線ａ 、スタイル設定情報＝  、1点リーダー罫 、 １．５ｐ、墨 」と、「スタイル名称情報＝飾り罫線ｂ 、スタイル設定情報＝    、2点リーダー罫 、 １．５ｐ、墨 」と、は、スタイル設定情報が異なるので、スタイル名称情報が異なるように、変更されているものが例示されている。
【００４６】
図１４は、管理パレット１８０ａの表示画面の説明図である。管理パレット１８０ａは、割付編集者５００が、小組ファイル１９３に対する操作方法の選択と、小組ファイル名の表示をする。管理パレット１８０ａは、小組ファイル操作方法選択部１８０ｂと、小組ファイル名称表示部１８０ｃと、を備える。小組ファイル操作方法選択部１８０ｂには、「作成」「読み込み」「複製」「削除」「終了」などを備える。
【００４７】
割付編集者５００は、小組ファイル操作方法選択部１８０ｂから操作方法を選択して、小組ファイル１９３を操作する。「作成」は、小組ファイル１９３を作成して、作成した小組ファイル名を小組ファイル名称表示部１８０ｃに表示する。「読み込み」は、割付枠ファイル１９１を選択して、小組ファイル名を作成して、この小組ファイル名を管理パレットの名称部１８０ｃに表示する。「削除」は、管理パレットに表示中の小組ファイルを選択して、小組ファイル１９３を削除して、小組ファイル名称表示部１８０ｃから小組ファイル名を削除する。「複製」は、管理パレットに表示中の小組ファイルを選択して、複製して、小組ファイル名を作成して、この小組ファイル名を小組ファイル名称表示部１８０ｃに表示する。
【００４８】
図１４には、小組ファイル名を小組ファイル名称表示部１８０ｃに表示した事例として、「商品果物、商品果物魚介、商品肉、商品旅行、商品貴金属」などが例示されている。
【００４９】
図１５は、小組ファイル１９３と設定ファイルとを作成するフローチャートである。
（１）管理パレット表示手段１８０は、管理パレット１８０ａを表示する。（ステップＳ１００）
（２）割付編集者５００が、小組ファイル操作方法選択部１８０ｂの「作成」を選択したら、次のステップに進む。選択されなければ、ステップＳ１２０に進む。（ステップＳ１１０）
（３）割付編集者５００が、スタイル名称情報とスタイル設定情報を入力して、小組ファイル作成手段１１０は、これを取得して、小組ファイル１９３を作成する。管理パレット表示手段１８０は、小組ファイル名称情報を取得して、小組ファイル名称表示部１８０ｃに表示する。設定ファイル作成手段１２０は、作成した小組ファイル１９３のスタイル名称情報とスタイル設定情報と小組ファイルの所在情報とを取得して、設定ファイルに記録する。ステップＳ１１０に戻る。（ステップＳ１１５）
（４）割付編集者５００が、小組ファイル操作方法選択部１８０ｂの「読み込み」を選択したら、次のステップに進む。選択されなければ、ステップＳ１３０に進む。（ステップＳ１２０）
（５）割付編集者５００が割付枠ファイル１９１の選択指示情報を入力して、割付枠ファイル選択手段１１５は、これを取得して、割付枠ファイル１９１を選択する。割付編集者５００が、スタイル名称情報とスタイル設定情報を入力したら、小組ファイル作成手段１１０は、選択された割付枠ファイル１９１と、入力されたスタイル名称情報とスタイル設定情報を取得して、これらを関連付けた小組ファイル１９３を作成する。管理パレット表示手段１８０は、小組ファイル名称情報を取得して、小組ファイル名称表示部１８０ｃに表示する。設定ファイル作成手段１２０は、作成した小組ファイル１９３のスタイル名称情報とスタイル設定情報と小組ファイルの所在情報とを取得して、設定ファイルに記録する。ステップＳ１１０に戻る。（ステップＳ１２５）
（６）割付編集者５００が、小組ファイル操作方法選択部１８０ｂの「複製」を選択したら、次のステップに進む。選択されなければ、ステップＳ１４０に進む。（ステップＳ１３０）
（７）割付編集者５００が小組ファイル名称表示部１８０ｃの小組ファイルを選択して複製指示情報を入力して、小組ファイル複製手段１５３は、これを取得して、選択された小組ファイル１９３を複製する。管理パレット表示手段１８０は、複製された小組ファイル名称情報を小組ファイル名称表示部１８０ｃに表示する。設定ファイル作成手段１２０は、複製した小組ファイル１９３のスタイル名称情報とスタイル設定情報を、設定ファイルに、記録する。ステップＳ１１０に戻る。（ステップＳ１３５）
（８）割付編集者５００が、小組ファイル操作方法選択部１８０ｂの「削除」を選択したら、次のステップに進む。選択されなければ、ステップＳ１５０に進む。（ステップＳ１４０）
（９）割付編集者５００が小組ファイル名称表示部１８０ｃの小組ファイルを選択して削除指示情報を入力して、小組ファイル削除手段１５７は、これを取得して、選択された小組ファイル１９３を削除する。管理パレット表示手段１８０は、小組ファイル名称表示部１８０ｃから、選択された小組ファイル名称情報を削除する。設定ファイル作成手段１２０は、削除した小組ファイル１９３のスタイル名称情報とスタイル設定情報を、設定ファイルから、削除する。ステップＳ１１０に戻る。（ステップＳ１４５）
（１０）割付編集者５００が、小組ファイル操作方法選択部１８０ｂの「終了」を選択したら、次のステップに進む。選択されなければ、ステップＳ１１０に戻る。（ステップＳ１５０）
（１１）スタイル名称重複検査手段１３０は、小組ファイル１９３から、一つのスタイル名称情報を選択して、他の小組ファイル１９３を参照して、このスタイル名称情報と重複するスタイル名称情報が存在するかを検査する。重複しているスタイル名称情報が存在すれば、次のステップに進む。重複しているスタイル名称情報が得られなければ、終了する。（ステップＳ１６０）
（１２）スタイル名称重複検査手段１３０は、重複しているスタイル名称情報のスタイル設定情報を取得して、両者の情報が一致するかを検査する。両者の情報が一致すれば、次のステップに進む。両者の情報が一致しなければ、終了する。（ステップＳ１７０）
（１３）スタイル名称重複ログ記録手段１４０は、小組ファイル名称情報を含むスタイル名称重複ログ１９７を作成して記録する。終了する。（ステップＳ１８０）
【００５０】
以上詳しく説明したように、本願発明によれば、小組ファイルの組み合わせに当たって、修正すべきか否かが、事前に分かるので、台紙レイアウトファイルの作成作業の労力を大幅に軽減して、生産性が向上した。また、後工程で、正しい台紙レイアウトファイルを用いて組版を行うことができるので、確実に、所望の組版結果が得られて、無駄な製版印刷材料が排出されないので、省資源や環境対策の観点から、望ましい結果を得た。
【図面の簡単な説明】
【００５１】
【図１】ＤＴＰ編集組版システム
【図２】大まかな処理の流れ
【図３】ＤＴＰ編集装置１００の詳細な構成図
【図４】割付枠ファイル１９１のデータ形式
【図５】割付枠ファイル１９１の例である。
【図６】小組ファイル１９３のデータ形式の説明図
【図７】小組ファイル１９１の例
【図８】小組ファイルのレイアウト例
【図９】小組ファイルの割付の例
【図１０】設定ファイル１９５のデータ形式と例
【図１１】小組ファイル１９３の所在情報の説明図
【図１２】台紙レイアウトファイル１９９のデータ形式
【図１３】台紙レイアウトファイル１９９例である。
【図１４】管理パレットの表示画面の説明図
【図１５】小組ファイル１９３と設定ファイルとを作成するフローチャート
【符号の説明】
【００５２】
１  ＤＴＰ編集組版システム
１００  ＤＴＰ編集装置
１１５  割付枠ファイル選択手段
１１０  小組ファイル作成手段
１２０  設定ファイル作成手段
１３０  スタイル名称重複検査手段
１４０  スタイル名称重複ログ記録手段
１５０  小組ファイル修正手段
１５３  小組ファイル複製手段
１５７  小組ファイル削除手段
１６０  台紙レイアウトファイル作成手段
１７０  管理パレット表示手段
１８０ａ  管理パレット
１８０ｂ  小組ファイル操作方法選択部
１８０ｃ  小組ファイル名称表示部
１９０  記憶手段
１９１  割付枠ファイル
１９１ａ  割付名称情報
１９１ｆ  割付枠情報
１９３  小組ファイル
１９３ａ  割付名称情報
１９３ｂ  スタイル名称情報
１９３ｃ  スタイル設定情報
１９３ｄ  印刷データ名称情報
１９３ｆ  割付枠情報
１９５  設定ファイル
１９５ａ  設定ファイル識別情報
１９５ｂ  スタイル名称情報
１９５ｃ  スタイル設定情報
１９５ｄ  印刷データ名称情報
１９５ｅ  所在情報
１９７  スタイル名称重複ログ
１９９  台紙レイアウトファイル
１９９ａ  台紙名称情報
１９９ｂ  スタイル名称情報
１９９ｃ  スタイル設定情報
１９９ｄ  印刷データ名称情報
１９９ｆ  割付枠情報
３００  組版装置
３９１  印刷データ
３９９  組版したページ
５００  割付編集者
７００  ネットワーク
【図１】
2007179344.tif 000003
【図２】
2007179344.tif 000004
【図３】
2007179344.tif 000005
【図４】
2007179344.tif 000006
【図５】
2007179344.tif 000007
【図６】
2007179344.tif 000008
【図７】
2007179344.tif 000009
【図８】
2007179344.tif 000010
【図９】
2007179344.tif 000011
【図１０】
2007179344.tif 000012
【図１１】
2007179344.tif 000013
【図１２】
2007179344.tif 000014
【図１３】
2007179344.tif 000015
【図１４】
2007179344.tif 000016
【図１５】
2007179344.tif 000017